(57)【要約】【課題】静電吸着により粘着剤を用いずデバイスチップを吸着する。【解決手段】デバイスチップ支持部は、複数の対の電極と、該対の電極を上方から覆う絶縁層と、を有し、該デバイスチップ支持部は、所定の電位差を生じるように給電を受けた該対の電極から該デバイスチップ支持部の上方に生じる電界によりデバイスチップに誘電分極を生じさせ、該デバイスチップを静電吸着する機能を有し、該デバイスチップ支持部は、該給電が停止されても該デバイスチップの静電吸着を継続できるデバイスチップの搬送トレイ。また、該搬送トレイを支持する支持基台と、該支持基台に設けられ、該搬送トレイの該複数の端子のそれぞれと接触する機能を有する複数の給電部と、該複数の給電部に、給電用電源と、徐電用電源と、のいずれの電源を接続するかを選択する機能を有する電源選択部と、を有する給電装置。【選択図】図１
2018056452.tif 000002
【特許請求の範囲】
【請求項１】
支持面となる上面を有するデバイスチップ支持部と、表面に複数の端子を有し該デバイスチップ支持部の外周を囲繞する枠部と、を備え、
該デバイスチップ支持部は、
ベースプレートと、
該ベースプレートの上方に形成された複数の対の電極と、
該ベースプレートと、該対の電極と、を上方から覆う絶縁層と、を有し、
該デバイスチップ支持部は、所定の電位差を生じるように給電を受けた該対の電極から該デバイスチップ支持部の上方に生じる電界により、該支持面に載せられたデバイスチップに誘電分極を生じさせ、該デバイスチップを静電吸着する機能を有し、
該デバイスチップ支持部は、該給電が停止されても該電界と、該誘電分極と、が消滅せず該デバイスチップの静電吸着を継続できることを特徴とするデバイスチップの搬送トレイ。
【請求項２】
該複数の対の電極を構成する各電極は、それぞれ対応する端子に電気的に接続され、
該複数の対の電極は、それぞれ対応する該端子を通してそれぞれ独立に給電または除電される機能を有することを特徴とする請求項１記載の搬送トレイ。
【請求項３】
請求項１又は２記載の搬送トレイを給電または除電するための給電装置であって、
該搬送トレイを支持する支持基台と、
該支持基台に設けられ、該搬送トレイの該複数の端子のそれぞれと接触する機能を有する複数の給電部と、
該複数の給電部に、給電用電源と、徐電用電源と、のいずれの電源を接続するかを選択する機能を有する電源選択部と、を有することを特徴とする給電装置。
【請求項４】
該複数の対の電極のうち、いずれの対を給電または除電するか選択する機能を有する電極選択部をさらに有する請求項３記載の給電装置。
【発明の詳細な説明】
【技術分野】
【０００１】
本発明は、デバイスチップ等の収容物を収容する搬送トレイ、及び該搬送トレイの給電装置に関する。
【背景技術】
【０００２】
デバイスウェーハから切り出されて製造された個々のデバイスチップは、搬送のために搬送トレイに載せられる。例えば、特許文献１に開示されている搬送トレイには、個々のデバイスチップを収容する複数の凹部が形成されており、凹部のそれぞれにデバイスチップが収容される。
【０００３】
デバイスチップの搬送中に搬送トレイが振動等すると、デバイスチップが該凹部内で移動し、搬送トレイの凹部の側壁に衝突して、デバイスチップに欠け等の損傷が生じてしまう。そこで、例えば、搬送トレイのデバイスチップの支持部の上面近傍に粘着材を設ける。
【０００４】
そして、該粘着材の上にデバイスチップを載せて、粘着材の粘着力（タック力）によりデバイスチップを保持するようにする。すると、デバイスチップの移動が該粘着力により抑制される。特許文献２には、粘着力でデバイスチップを保持するトレイが開示されている。
【先行技術文献】
【特許文献】
【０００５】
【特許文献１】特開昭６０−１０９２１７号公報
【特許文献２】特開２０１２−４３９１４号公報
【発明の概要】
【発明が解決しようとする課題】
【０００６】
しかし、粘着材の粘着力が強いと、該デバイスチップを該粘着材から剥離して搬送トレイから取り出すときに、粘着材の一部がデバイスチップに付着したまま残留する恐れがある。
【０００７】
デバイスチップに粘着材の一部が残留すると該付着物が汚染源となり、デバイスチップに問題を生じる場合がある。デバイスチップへの粘着材の付着及び残留を抑制するには粘着材の粘着力を弱めればよいが、これでは搬送中のデバイスチップの移動を十分に抑制できなくなる。
【０００８】
本発明はかかる問題に鑑みてなされたものであり、その目的とするところは、保持したデバイスチップに汚染源を残留させることなく該デバイスチップを容易に取り出すことのできる搬送トレイを提供することである。また、この搬送トレイに用いられる給電装置を提供することである。
【課題を解決するための手段】
【０００９】
本発明の一態様によれば、支持面となる上面を有するデバイスチップ支持部と、表面に複数の端子を有し該デバイスチップ支持部の外周を囲繞する枠部と、を備え、該デバイスチップ支持部は、ベースプレートと、該ベースプレートの上方に形成された複数の対の電極と、該ベースプレートと、該対の電極と、を上方から覆う絶縁層と、を有し、該デバイスチップ支持部は、所定の電位差を生じるように給電を受けた該対の電極から該デバイスチップ支持部の上方に生じる電界により、該支持面に載せられたデバイスチップに誘電分極を生じさせ、該デバイスチップを静電吸着する機能を有し、該デバイスチップ支持部は、該給電が停止されても該電界と、該誘電分極と、が消滅せず、該デバイスチップの静電吸着を継続できることを特徴とするデバイスチップの搬送トレイが提供される。
【００１０】
なお、本発明の一態様に係る搬送トレイにおいて、該複数の対の電極を構成する各電極は、それぞれ対応する端子に電気的に接続され、該複数の対の電極は、それぞれ対応する該端子を通してそれぞれ独立に給電または除電される機能を有してもよい。
【００１１】
さらに、本発明の他の一態様によると、該搬送トレイを給電または除電するための給電装置であって、該搬送トレイを支持する支持基台と、該支持基台に設けられ、該搬送トレイの該複数の端子のそれぞれと接触する機能を有する複数の給電部と、該複数の給電部に、給電用電源と、徐電用電源と、のいずれの電源を接続するかを選択する機能を有する電源選択部と、を有することを特徴とする給電装置が提供される。
【００１２】
なお、本発明の他の一態様に係る給電装置は、該複数の対の電極のうち、いずれの対を給電または除電するか選択する機能を有する電極選択部をさらに有してもよい。
【発明の効果】
【００１３】
本発明の一態様に係る搬送トレイは、対の電極を有する。該対の電極に所定の電位差を生じるように電源から給電すると、デバイスチップ支持部の上方に不平等電界が発生する。該不平等電界により、デバイスチップ支持部の支持面に載せられたデバイスチップの内部に誘電分極が誘起される。そして、該誘電分極と、該不平等電界と、の相互作用により、該デバイスチップと該対の電極との間に互いに引き合う力（グラジエント力）が生じて、デバイスチップ支持部はデバイスチップを静電吸着する。
【００１４】
なお、誘起された該誘電分極と、該対の電極と、の相互作用により電荷が保持されるため、該対の電極への給電が停止した後も、該グラジエント力は消滅せず、デバイスチップはデバイスチップ支持部の支持面上に静電吸着され続ける。
【００１５】
そして、搬送トレイがデバイスチップの搬送先に至り、搬送トレイからデバイスチップが取り出される際は、該対の電極を除電して電荷を取り除いて静電吸着を解除する。すると、汚染源を付着させることなくデバイスチップを容易に取り出すことができる。なお、該除電は、例えば、該対の電極を構成する各電極に対して、給電のときとは逆の極性の電荷を供給することで行われる。
【００１６】
なお、該対の電極への給電または除電は、搬送トレイの枠部に設けられた複数の端子を通じて行われる。そして、該複数の端子と接触するように設けられた複数の給電部を有する給電装置を用いて、該給電装置に該搬送トレイを接続して給電または除電を行ってもよい。該給電装置を用いると、搬送トレイの対の電極への給電または除電を迅速かつ確実にすることができる。そして、このような給電装置もまた本発明の一態様である。
【００１７】
本発明によると、保持したデバイスチップに汚染源を残留させることなく該デバイスチップを容易に取り出すことのできる搬送トレイが提供される。また、この搬送トレイに用いられる給電装置が提供される。
【図面の簡単な説明】
【００１８】
【図１】図１（Ａ）は、搬送トレイの一例を模式的に示す斜視図であり、図１（Ｂ）は、給電装置の一例を模式的に示す斜視図である。
【図２】搬送トレイが給電装置に載置された状態を模式的に示す断面図である。
【図３】図３（Ａ）は、対の電極の形状の一例を模式的に示す上面図であり、図３（Ｂ）は、複数の対の電極の配置の一例を模式的に示す上面図であり、図３（Ｃ）は、対の電極の形状及び配置の他の一例を模式的に示す上面図である。
【図４】給電装置の他の一例及び搬送トレイの他の一例を模式的に示す斜視図である。
【発明を実施するための形態】
【００１９】
本発明に係る実施形態について説明する。まず、本実施形態に係る搬送トレイについて図１（Ａ）及び図２を用いて説明する。図１（Ａ）は、本実施形態に係る搬送トレイを模式的に説明する斜視図である。図２は、該搬送トレイが給電装置（後述）に載置された状態を模式的に示す断面図である。
【００２０】
図１（Ａ）及び図２に示すように、搬送トレイ１は、平板状のデバイスチップ支持部３と、凹状の枠部５と、を備える。デバイスチップ支持部３は、概ね平坦に形成された支持面３ａを有し、搬送トレイ１に収容される複数のデバイスチップ７をこの支持面３ａで支持する。枠部５は、デバイスチップ支持部３を囲むように収容し、デバイスチップ７の脱落、飛散当を防ぐ。また、枠部５の外表面（例えば、側面の一部及び下面の一部）には、端子９が設けられている。
【００２１】
デバイスチップ支持部３は、図２に示す通り、ベースプレート１１と、該ベースプレート１１上の絶縁性層１３と、絶縁性層１３上の複数の電極１５と、絶縁性層１３及び複数の電極１５を覆う絶縁性層１７と、を備える。デバイスチップ支持部３の各構成要素を支えるベースプレート１１は、デバイスチップ７の支持に必要な剛性を持つ絶縁性材料でなり、例えば、ガラス、セラミックス、樹脂等からなる。ベースプレート１１の厚さは、例えば、２００μｍ〜５ｍｍである。
【００２２】
複数の電極１５を支える絶縁性層１３は、高電圧が印加される電極１５と電飾等の反応を生じず、電極１５と外部とを絶縁できる無機絶縁膜、樹脂等の絶縁性材料でなる。例えば、ベースプレート１１の上にＵＶ型クリアーインキを塗り、スキージを用いて広げるか、或いは、該インキをスピンコート法により塗布することで、絶縁性層１３を形成する。絶縁性層１３の厚さは、例えば、３０μｍ〜７０μｍである。なお、絶縁性層１３を省略し、ベースプレート１１に絶縁性層１３の機能を兼ねさせてもよい。
【００２３】
複数の電極１５のうち、例えば、隣接する２つの電極１５（第１の電極及び第２の電極）によって対の電極が構成される。対の電極を構成する２つの電極１５は、それぞれ枠部５に設けられた配線１９等を介して端子９に接続されている。端子９及び配線１９を通して給電装置２（後述）から給電を受けると、該対の電極はデバイスチップ支持部３上に不平等電界を発生する。該不平等電界がデバイスチップ支持部３の上に載せられたデバイスチップ７に作用すると、デバイスチップ７に誘電分極を生じる。
【００２４】
そして、該誘電分極と、該不平等電界と、の相互作用により、該デバイスチップ７と該対の電極との間に互いに引き合う力（グラジエント力）が生じて、デバイスチップ支持部３はデバイスチップ７を静電吸着する。
【００２５】
電極１５は、銅、銀、アルミニウム等の導電性材料でなる。金属ペーストの塗布や、蒸着等により絶縁性層１３の上面に該材料でなる導電膜を設けられた後、第１の電極と、第２の電極と、を有する対の電極を形成するように、フォトリソグラフィー法等により所定の形状にパターニングすることで、電極１５が形成される。なお、該パターニングは、レーザー加工装置を用いたアブレーション加工により実施されてもよい。電極１５の厚さは、例えば、８μｍ〜１２μｍである。
【００２６】
該対の電極は、搬送トレイ１が収容するデバイスチップ７の数だけ形成される。複数の対の電極は、それぞれ独立に給電または除電がされ、各対の電極毎にデバイスチップ７の静電吸着とその解除が制御される。ただし、形成される対の電極はデバイスチップ７の数よりも少なくてもよい。例えば、対の電極を一つにする場合には、デバイスチップ支持部３の支持面３ａ全体の静電吸着とその解除がまとめて制御される。
【００２７】
なお、対の電極によりグラジエント力を生じさせるとき、第１の電極と、第２の電極と、の電位差は１０００Ｖ〜２０００Ｖとされる。また、該対の電極を構成する第１の電極と、第２の電極と、はそれぞれ５０〜１０００μｍの幅で形成され、第１の電極と、第２の電極と、の間隔は５０〜１０００μｍとされる。パターニングされて形成される電極１５の形状の詳細については後述する。
【００２８】
電極１５と、絶縁性層１３と、ベースプレート１１と、を覆う絶縁性層１７は、その上面がデバイスチップ支持部３の支持面３ａとなり、支持面３ａ上にデバイスチップ７が載置される。絶縁性層１７は電極１５等を覆いデバイスチップ支持部３の各構成要素を保護する機能を有し、さらに、高電圧が印加される電極１５からの漏電を防止する機能を有する。
【００２９】
絶縁性層１７は、電極１５による凹凸形状を隙間なく覆う一方で、支持面３ａが平坦となるように形成される。絶縁性層１７は、樹脂層、無機絶縁膜等でなり、例えば、ＵＶ型クリアーインキを用いて形成される。絶縁性層１７は、絶縁性層１３と同様の方法で形成される。または、電極１５と、絶縁性層１３と、ベースプレート１１と、の上にＣＶＤ法等により絶縁膜を成膜して、その上面を研磨等して平坦化して形成してもよい。なお、絶縁性層１７の厚さは、例えば、３０μｍ〜７０μｍである。
【００３０】
上述のように、枠部５は、例えば、凹部を有する形状に構成されており、デバイスチップ支持部３を囲み、デバイスチップ支持部３の各構成要素を該凹部に収納する。枠部５は、搬送トレイ１の外装となり、搬送トレイ１が給電装置２（後述）に載せられるとき給電装置２と接触する。そのため、例えば、摩擦に強い樹脂材料等で形成される。
【００３１】
枠部５の表面には、端子９を有する。端子９は、銅等の導電性材料でなり、搬送トレイ１が給電装置２（後述）に載せられると給電装置２の給電部６に接触する。端子９は、枠部５を貫く配線１９を通じて電極１５と電気的に接続される。配線１９は、導電性材料でなり、端子９と電極１５とを電気的に接続する経路となる。
【００３２】
以上により、支持面３ａとなる上面を有するデバイスチップ支持部３と、表面に複数の端子９を有し、該デバイスチップ支持部３の外周を囲繞する枠部５と、を備える搬送トレイ１が構成される。
【００３３】
次に、本実施形態に係るに給電装置について図１（Ｂ）及び図２を用いて説明する。図１（Ｂ）は、本実施形態に係る給電装置２を説明するための模式的な斜視図である。図２は、該搬送トレイ１と、給電装置２と、を模式的に示す断面図である。
【００３４】
図１（Ｂ）に示すように、給電装置２は、支持基台４と、給電部６と、突き当て部８と、スイッチ１０と、を備える。給電装置２の支持基台４は、外部の給電用電源１６と、除電用電源１８と、に接続されている。給電装置２は、突き当て部８により所定の位置に載置された搬送トレイ１に対して、給電部６を通して該給電用電源１６または除電用電源１８を接続する。すると、給電装置２は、搬送トレイ１を給電または除電できる。
【００３５】
給電装置２は、搬送トレイ１にデバイスチップ７を収容する作業をする場所、及び搬送トレイ１からデバイスチップ７を搬出する作業をする場所に配置される。収容または搬出時には、搬送トレイ１は給電装置２の支持基台４上に載せ置かれ、給電装置２は搬送トレイ１に対して、給電または除電を実施する。
【００３６】
該給電または除電のために、搬送トレイ１は、搬送トレイ１の端子９が給電装置２の給電部６と接触するように支持基台４上に載せ置かれる。支持基台４上の突き当て部８は、該端子９と該給電部６とが正しく接触する所定の位置に搬送トレイ１が置かれるように配置される。該突き当て部８に搬送トレイ１を突き当てながら支持基台４上に載せ置くと、該所定の位置に搬送トレイ１を位置付けられる。
【００３７】
給電部６は、例えば、銅等の導電材料でなり、支持基台４または突き当て部８の表面に設けられ、支持基台４の所定の位置に載せ置かれた搬送トレイ１の端子９と接触し、搬送トレイ１の給電及び除電を実施する機能を有する。給電部６は、給電装置２の内部の配線１４を通じて、給電用電源または除電用電源に接続されている。
【００３８】
給電部６は複数設けられ、複数の給電部６の一つは、搬送トレイ１の対の電極の一方の電極に電気的に接続され、別の一つは、搬送トレイ１の対の電極の他方の電極に電気的に接続される。給電装置２は、搬送トレイ１の給電時には、給電用電源１６により該対の電極の一方の電極と、他方の電極と、の間に所定の電位差（例えば１０００Ｖ〜２０００Ｖ）を生じるように対の電極に給電を行う。すると、対の電極はデバイスチップ支持部３の上方に不平等電界を生じる。
【００３９】
該不平等電界を生じる対の電極の上方に載せ置かれたデバイスチップ７の内部には、該不平等電界により誘電分極が誘起され、グラジエント力によりデバイスチップ７はデバイスチップ支持部３に静電吸着される。給電装置２から搬送トレイ１が離間され、給電部６から給電されなくなった後、デバイスチップ７の誘電分極により該対の電極の両電極間の電位差は保持され、対の電極の電荷は維持される。該電荷は、給電装置２により除電されるまでの間は維持され続ける。
【００４０】
そのため、デバイスチップ７は引き続きグラジエント力によりデバイスチップ支持部３に静電吸着されたままとなる。したがって、搬送の間に搬送トレイ１が振動等しても、デバイスチップ７は吸着保持され動かない。
【００４１】
給電装置２は、搬送トレイ１の除電時には、除電用電源１８により該対の電極の一方の電極と、他方の電極と、の電荷を取り除くように除電を行う。なお、除電用電源１８は、給電のときとは逆の極性となるように該対の電極の２つの電極に対して電荷を供給しようとする電源である。すると、対の電極が生じさせていたデバイスチップ支持部３上方の不平等電界は消滅し、デバイスチップ７の分極は解消される。そのため、デバイスチップ７の静電吸着が解かれデバイスチップ７は容易に取り出されるようになる。
【００４２】
スイッチ１０は、給電部６と、給電用電源１６または除電用電源１８と、を電気的に接続する配線１４に設けられ、いずれの電源を給電部６に接続するかを選択する電源選択部として機能する。スイッチ１０は、搬送トレイ１の給電時には、給電用電源１６と給電部６とを接続し、搬送トレイ１の除電時には、除電用電源１８と給電部６とを接続する。すなわち、搬送トレイ１を用いてデバイスチップ７を搬送しようとする者は、スイッチ１０を操作してデバイスチップ７の静電吸着と、静電吸着の解消とを実施できる。
【００４３】
次に、搬送トレイ１の電極１５の形状について、図３を用いて説明する。電極１５は、第１の電極１５ａと、該第１の電極１５ａから分離された第２の電極１５ｂとを、構成するように金属膜がパターニングされて形成される。第１の電極１５ａと、第２の電極１５ｂと、は対の電極１５ｃを構成し、対の電極１５ｃが給電され両者の間に所定の電位差を生じると、デバイスチップ支持部３の上方に不平等電界を生じる。
【００４４】
図３（Ａ）は、電極１５の形状の一例を模式的に示す上面図である。本例では、図３（Ａ）に示す通り、第１の電極１５ａと、第２の電極１５ｂと、はそれぞれ櫛歯状に形成される。櫛歯状の第１の電極１５ａと、第２の電極１５ｂと、はそれぞれ、互いに平行に並ぶ複数の櫛歯（枝部）と、該複数の櫛歯（枝部）に接続され各櫛歯に電荷を供給する経路となる幹部と、を有する。なお、図３（Ａ）においては、説明の便宜上、第１の電極１５ａと第２の電極１５ｂとを異なる色で着色して表示している。
【００４５】
第１の電極１５ａの複数の櫛歯の一つは、第２の電極１５ｂの複数の櫛歯のうち隣接する２つの櫛歯の間に配置され、該２つ櫛歯との間に所定の電位差を生じると不平等電界を生じる。
【００４６】
第１の電極１５ａの各櫛歯、及び第２の電極１５ｂの各櫛歯の幅は、それぞれ一定ではなく、各櫛刃は、太部と細部とが長手方向に交互に繰り返された形状を有する。そして、第１の電極１５ａの櫛歯の太部は、第２の電極１５ｂの隣接する２つの櫛歯の細部の間に配される。第２の電極１５ｂの櫛歯の太部は、同様に、第１の電極１５ａの隣接する２つの櫛歯の細部の間に配される。
【００４７】
第１の電極１５ａ及び第２の電極１５ｂの櫛歯をそれぞれこのような形状で形成すると、櫛歯の幅が変化する部分に電界が集中して、不平等電界がより強くなるため、グラジエント力が増大し、支持面３ａと、デバイスチップ７と、の間の静電吸着がより強力となる。ただし、第１の電極１５ａ及び第２の電極１５ｂの輪郭に角を有するとスパークする可能性があるため、該輪郭は曲線形状であることが好ましい。
【００４８】
ただし、本実施形態はこれに限定されず、第１の電極１５ａ及び第２の電極１５ｂの幅は一定でもよく、それぞれの電極の輪郭が直線状でもよい。
【００４９】
図３（Ｂ）は、電極１５の形状を模式的に示す上面図であり、複数の対の電極１５ｃの配置の例を示す。搬送トレイ１には、収容するデバイスチップ７の数と同数の対の電極１５ｃが備えられており、それぞれのデバイスチップ７に個別に不平等電界を作用させるように対の電極１５ｃが配される。
【００５０】
このように、搬送トレイ１に複数の対の電極１５ｃが配されると、静電吸着されるデバイスチップ７毎に給電及び除電が制御され、静電吸着と該静電吸着の解除とが切り替えられる。なお、各デバイスチップ７について静電吸着と該静電吸着の解除とを個別に切り替えるためには、それぞれの対の電極１５ｃは独立に給電及び除電が制御されなければならない。したがって、複数の対の電極１５ｃを構成するすべての電極のそれぞれが、異なる端子９に接続される。
【００５１】
図３（Ｃ）は、電極１５の形状の別の一例を示す正面図である。図３（Ｃ）に示す通り、複数のドット状の電極１５ｄがそれぞれ電気的に絶縁されて配置される。それぞれのドット状の電極１５ｄはそれぞれ異なる端子９に接続され、電荷の出入りが個別に制御される。そして、隣接する２つのドット状の電極１５ｄの間に所定の電位差を生じるように電荷を制御すると、該２つのドット状の電極１５ｄ間に不平等電界を発生させることができる。
【００５２】
すると、デバイスチップ支持部３の支持面３ａ上の任意の領域に不平等電界を形成できるため、搬送トレイ１は、支持面３ａの任意の位置に置かれたデバイスチップ７を静電吸着できる。
【００５３】
図３（Ｂ）及び図３（Ｃ）に例示する通り、搬送トレイ１は、２を超える数の端子９を要し、給電装置２も、２を超える数の給電部６を要する場合がある。そのような場合の搬送トレイ１及び給電装置２の一例を図４に示す。
【００５４】
図４に示される通り、搬送トレイ１は、９個のデバイスチップ７を静電吸着できる搬送トレイ１であり、該９個のデバイスチップ７のそれぞれに対して個別に静電吸着とその解除とを切り替えられるように構成される。搬送トレイ１は、９個の対の電極（不図示）を有し、枠部５の外表面には、該９個の対の電極のそれぞれの電極に電気的に接続される総計１８個の端子を有する（搬送トレイ１裏側の９個の端子９は不図示）。９個の対の電極は、それぞれ対応する端子９を通してそれぞれ独立に給電または除電される。
【００５５】
一方、給電装置２は、該１８個の端子９とそれぞれ接触する１８個の給電部６を有する。また、給電装置２は、搬送トレイ１の該９個の対の電極を個別に制御するためのスイッチ１２を有する。該スイッチ１２は、該９個の対の電極のうち、いずれの対を給電または除電するか選択する電極選択部として機能する。
【００５６】
なお、対の電極、端子９、給電部６、及びスイッチ１２等の数量、配置等の条件は、収容されるデバイスチップ７の数、搬送トレイ１の用途等によって決まるものであり、本実施形態の記載に限定されない。
【００５７】
以上説明した通り、本発明によると、デバイスチップ７を静電吸着により確実に保持する一方で、該静電吸着を解いて保持されたデバイスチップ７を容易に取り出せる搬送トレイ１が提供される。また、該搬送トレイ１を給電または除電する機能を有する給電装置２が提供される。
【００５８】
搬送トレイ１には粘着材を使用せず、静電吸着によりデバイスチップ７が搬送トレイ１に保持されるため、搬送トレイ１から取り出されたデバイスチップ７には該粘着材が付着しない。
【００５９】
なお、本発明は、上記実施形態の記載に限定されず、種々変更して実施可能である。例えば、複数のデバイスチップ７それぞれの静電吸着に関与する対の電極を該複数のデバイスチップ７の数だけ設ける場合について説明した。しかし、対の電極は該数よりも少なくてもよく、例えば、該数よりも少ない複数の対の電極を搬送トレイに設け、複数のデバイスチップ７の静電吸着がまとめて制御されてもよい。
【００６０】
その他、上記実施形態に係る構造、方法等は、本発明の目的の範囲を逸脱しない限りにおいて適宜変更して実施できる。
【符号の説明】
【００６１】
１  搬送トレイ
３  デバイスチップ支持部
３ａ  支持面
５  枠部
７  デバイスチップ
９  端子
１１  ベースプレート
１３  絶縁性層
１５  電極
１５ａ  第１の電極
１５ｂ  第２の電極
１５ｃ  対の電極
１５ｄ  ドット状の電極
１７  絶縁性層
１９  配線
２  給電装置
４  支持基台
６  給電部
８  突き当て部
１０  スイッチ
１２  スイッチ
１４  配線
１６  給電用電源
１８  除電用電源
【図１】
2018056452.tif 000003
【図２】
2018056452.tif 000004
【図３】
2018056452.tif 000005
【図４】
2018056452.tif 000006